(57)【要約】【課題】  思い通りの描画や切断動作が可能な新規な文具、及び文具セットを提供する。【解決手段】  本発明は、指に取り付けるカバーと、このカバーの底面に設けられた筆記部或いはカッターの刃とを有することを特徴とし、指先の操作にて描画や切断動作を行うものである。【選択図】    図１
2006168332.tif 000002
【特許請求の範囲】
【請求項１】
指に取り付けるカバーと、このカバーの底面に設けられた筆記部とを有し、前記カバーを装着した指先にて描画することを特徴とする文具。
【請求項２】
指に取り付けるカバーと、このカバーの底面に設けられたカッター部とを有し、前記カバーを装着した指先にて操作することを特徴とする文具。
【請求項３】
前記筆記部は、交換可能に保持されることを特徴とする請求項１項記載の文具。
【請求項４】
前記カバーの側面に、直線状の固形部を有することを特徴とする請求項１項記載の文具。
【請求項５】
指に取り付ける複数のカバーと、この複数のカバーの底面に夫々設けられた、異なる色の筆記部とを有することを特徴とする文具セット。
【請求項６】
前記筆記部は、筆記面を擦り、筆記部分の色を混色し、或いは薄める部材を有することを特徴とする請求項５項記載の文具セット。
【請求項７】
前記カバーの上面に、前記筆記部の種類を示すマークが記されていることを特徴とする５項記載の文具セット。
【発明の詳細な説明】
【技術分野】
【０００１】  本発明は、紙などに絵を描いたり、或いは紙を所定の形状に切断する文具に関するものである。
【背景技術】
【０００２】  従来の筆記具は、鉛筆や、ペン、或いは筆などのように、手で持って使用するように作られている。
紙などを切断するためのカッターなども同様であり、複数の指を用いてつまむようにして使用するように作られている。【０００３】しかしながら、このように手で持って利用する場合、思うように制御できないことがあった。
【特許文献１】特開１１−２４５５８２号。
【発明の開示】
【発明が解決しようとする課題】
【０００４】本発明は、新規な文具を提供するものであり、より自然に使用できると共に、より制御しやすい筆記具あるいはカッターを提供することを目的としている。
尚、上記特許文献１には、指先に取付けることができる筆記具について示されているが、これは、色々な現場における作業中とか、キーボードを具えたコンピュータ等の入力作業中において、ペンや鉛筆等の筆記具を度々必要とする場合の対策として、筆記具を指先に付けておき、作業中必要な場合には直ちに使用できると共に、不使用の時も作業中邪魔にならないようにしたものである。
しかしながら、この先行技術は、指先で描画するものではなく、指先の側面に取付け、複数の指でつまんで筆記具を持って描画するものであり、指先に取付けるものであっても、指先で直接描画するものではない。
この点は、発明の効果の、「本発明においては、短い筆記具を人差し指と親指で挟んだ状態で使用できるので、通常の筆記具の場合と同様に書き易い。」との記載にも示されている。
従って、本特許文献も、従来のペンや筆と異なるものではない。
【課題を解決するための手段】
【０００５】  本発明は、請求項１に記載するように、指に取り付けるカバーと、このカバーの底面に設けられた筆記部とを有し、前記カバーを装着した指先にて描画することを特徴とし、また、
請求項２から請求項７に記載するように、
指に取り付けるカバーと、このカバーの底面に設けられたカッター部とを有し、前記カバーを装着した指先にて操作することを特徴とし、また、
前記筆記部は、交換可能に保持されることを特徴とし、また、
前記カバーの側面に、直線状の固形部を有することを特徴とし、また、
指に取り付ける複数のカバーと、この複数のカバーの底面に夫々設けられた、異なる色の筆記部とを有することを特徴とし、また、
前記筆記部は、筆記面を擦り、筆記部分の色を混色し、或いは薄める無色の部材を有することを特徴とし、また、
前記カバーの上面に、前記筆記部の種類を示すマークが記されていることを特徴としている。
【発明の効果】
【０００６】本発明では、指先にて、筆記或いは切断動作を行うことが可能であり、思い通りに文具を操作することが可能となる。
また、絵の具で、手を汚すことなく、指を用いた描画を行うことが可能となる。
【発明を実施するための最良の形態】
【０００７】以下、本発明を実施するための最良の形態について、図に沿って詳細に説明する。
【実施例】
【０００８】図１は本発明の実施形態の全体構成を示す側面図であり、図２は底面図である。
これらの図において、１は指に取り付けるゴム製のカバーであり、このカバー１の上面には、通気用の開口が設けられている。
２は筆記部であり、カバー１の底面に設けられた収納部に着脱可能に保持されている。
３はアクリル製の直線的な周囲を構成する固形部である。
指による、フリーハンドでの、なぞる動作だけで、正確な直線を描くのは困難である。
このため、この固形部３は、定規に当てて正確な直線を描くために用いられる。
尚、固形部３は、カバーの両側面に設けられており、右ききの利用者は、左側の固形部を定規に当てて用い、左ききの利用者は、右側の固形部を定規に当てて用いることを想定している。
尚、筆記部２は、図３に示すように、矩形状の基板４に、半球状の凸部５を有し、基板４が、カバー１の取り付け部に収納され、凸部５が筆記面に接触し、この凸部を構成する絵の具が、図示しない筆記面に転写される。【０００９】続いて、図４にカッターの刃６を、カバー１の底面に取付けた例を示す。例えば、紙１枚を切断する場合、通常の手で持つカッターでは、力を入れすぎて紙の下の台紙やテーブルを傷つけることが多い。
また、紙にマスク用のフィルムを貼ったり、スクリーントーンを貼り、そのフィルムやスクリーントーンのみを所定の形状に切断する場合、下の紙を傷つけずに、そのフィルムやスクリーントーンを切断するのは困難が伴う。
しかしながら、本実施例のカッターでは、指先に、刃の先の感触が伝わり、紙１枚の切断、又はフィルムやスクリーントーンのみを切断する力の入れ加減の制御が容易となる。【００１０】続いて、図５に、異なる色の筆記部、消しゴム及び、カッターが取付けられたカバーを複数収納した文具セットを示す。
この図で、カバー１は、上向きにケース７配置されている。
夫々のカバー１には、その底面に配置されたものが何なのか、又何色なのかを示すマーク８が施されている。このマーク８によって、カッターだということを認識でき、筆記するつもりで筆記面を切断するなどのミスが防止できる。
また、筆記したい色の選択が容易となる。【００１１】また、筆記部２は、簡単に着脱可能であり、スペアー９が複数、色別に収納されている。
ケースの上蓋１０には、定規１１とコンパス１２が収納されている。
このコンパス１２は図５（ｂ）に側面図を示すように、筆記部やカッターが配置される取付け部１３を有し、アーム１４上をスライド移動可能に取付けられている。また、アーム１４の上面には、メモリが表示されており、そのメモリに合わせて、取付け部１３を固定して利用する。また、その取付け部１３には、固定ねじ１５のねじの上面が上向きに配置されているため、このねじ部分１５を押さえながら移動させて、筆記或いは切断動作を行う。【００１２】尚、筆記部は、絵の具や消しゴムの他、絵の具をぼかしたり、混合させるための、無色の綿材を含む。
指や布などを用いた絵画のぼかし技法を、手を汚すことなく用いることが可能となる。【００１３】本発明は、上記実施例に限定されるものではなく、例えば、カバーの構造や材質には限定されない。
例えばプラスチック材や、布材で構成してもよい。
また、カバーの内部に、スポンジなどを配置し、使用者の指の大きさの違いがあっても、スポンジでその大きさの違いを吸収し、指とカバーがフィットするようにしてもよい。【００１４】
【図面の簡単な説明】
【００３２】
【図１】本発明の実施例の形態に係る主要な構成を示す側面図である。
【図２】本発明の実施例の形態に係る主要な構成を示す底面図である。
【図３】本発明の実施例の形態に係る筆記部の構造を示す側面図及び上面図である。
【図４】本発明の実施例の形態に係る筆記部に代えてカッターを配置した構造を示す側面図である。
【図５】本発明の実施例文具セットの形態に係る主要な構成を示す上面図である。
【符号の説明】
【００３３】１：カバー
２：筆記部
３：固形部
６：カッターの刃
【図１】
2006168332.tif 000003
【図２】
2006168332.tif 000004
【図３】
2006168332.tif 000005
【図４】
2006168332.tif 000006
【図５】
2006168332.tif 000007